(57)【要約】【課題】  高い断熱性を確保でき、しかも良好な外観を呈し、強度も確保されて安価に製作できる風呂蓋を提供する。【解決手段】  細長状の中空筒体３，３，３を連結部材４，４，４で複数並列に連結して構成され、各中空筒体３内には、長尺状に形成した真空断熱材５を挿入し、中空筒体３の末端をキャップ６，６で塞いで風呂蓋２を構成する。【選択図】  図２
2006239035.tif 000002
【特許請求の範囲】
【請求項１】
細長状の中空筒体を連結部材で複数並列に連結して構成され、前記各中空筒体内には、長尺状に形成した真空断熱材を挿入し、中空筒体の末端をキャップで塞いだことを特徴とする風呂蓋。
【請求項２】
外カバーを横方向に所定間隔で区切って、内部に複数の三方が塞がれた袋状の部屋を形成し、各部屋内に真空断熱材を挿入するとともに、各部屋内または部屋外の区切り部等に補強材を取り付け、各部屋の開放されていた一方の開口を塞いで構成したことを特徴とする風呂蓋。
【発明の詳細な説明】
【技術分野】
【０００１】
本発明は、浴槽の上面に設置される風呂蓋に関するものである。
【背景技術】
【０００２】
従来、特許文献１に開示されているように、中空筒体に棒状の補強桟を挿入し、挿入口に栓をして、複数の中空筒体を連結した巻取式風呂蓋が存在する。
【０００３】
また、特許文献２に開示されているように、表裏２枚の長方形金属外板間にグラスウールマットを内蔵して、４周を気密溶接し、真空引きした真空断熱材が存在する。
【特許文献１】実開昭５８−１１４１９１号公報
【特許文献２】特開昭５８−１０６２９２号公報
【発明の開示】
【発明が解決しようとする課題】
【０００４】
従来の特許文献１に開示されているような風呂蓋では、断熱性に乏しいという問題点があった。
【０００５】
また、特許文献２に開示されているような真空断熱材では、真空断熱材そのものを風呂蓋にすると強度的に弱いものであり、また、外周等に溶接部分等が露出し見栄えが悪く、また破損し易く、内部の真空が破壊されてしまう等の問題点があった。
【課題を解決するための手段】
【０００６】
本発明は上記従来の問題点に鑑み案出したものであって、断熱性が高く、しかも強度が確保されて、見栄えも良好な風呂蓋を提供するものであり、その請求項１は、細長状の中空筒体を連結部材で複数並列に連結して構成され、前記各中空筒体内には、長尺状に形成した真空断熱材を挿入し、中空筒体の末端をキャップで塞いだことである。
【０００７】
また請求項２は、外カバーを横方向に所定間隔で区切って、内部に複数の三方が塞がれた袋状の部屋を形成し、各部屋内に真空断熱材を挿入するとともに、各部屋内または部屋外の区切り部等に補強材を取り付け、各部屋の開放されていた一方の開口を塞いで構成したことである。
【発明の効果】
【０００８】
本発明の風呂蓋は、細長状の中空筒体を連結部材で複数並列に連結し、各中空筒体内には真空断熱材を挿入し、中空筒体の末端をキャップで塞いだことにより、真空断熱材を中空筒体内に挿入することで、高い断熱性を確保することができ、また中空筒体により強度を確保することができ、しかも、真空断熱材の外観が見栄えの悪いものであっても、中空筒体内に完全に隠蔽され、真空断熱材は露出しないために、全体としての風呂蓋はすっきりとした見栄え性の高いものとなる。
【０００９】
また、外カバーを横方向に所定間隔で区切って、内部に複数の三方が塞がれた袋状の部屋を形成し、各部屋内に真空断熱材を挿入するとともに、各部屋内または部屋外の区切り部等に補強材を取り付け、各部屋の開放されていた一方の開口を塞いで構成したことにより、複雑で多種多様な真空断熱材を造る必要がなく、真空断熱材の外観の見栄え性が悪くても、真空断熱材を各部屋内にそれぞれ完全に隠蔽させることができて、全体の外観をすっきりとしたものとすることができ、真空断熱材により高い断熱性が確保され、また補強材により全体の強度が確保されるものとなり、安価に風呂蓋を製造できるものとなる。
【実施例】
【００１０】
以下、本発明の実施例を図面に基づいて説明する。
図１は、浴槽の上面に風呂蓋を覆設した状態の平面構成図である。
風呂蓋２は、細長状の中空筒体３，３，３が連結部材４，４で複数並列に連結されて構成された巻取式の風呂蓋であり、浴槽１の形状に合わせて複数の中空筒体３の長さ寸法は異なるもので構成されている。
【００１１】
この風呂蓋２の分解斜視図を図２に示す。
中空筒体３は、硬質樹脂の押し出し品で構成されており、断面長方形状で前端から後端に向かって内部が中空状に貫通形成されたものである。
この中空筒体３と中空筒体３間は、軟質樹脂の連結部材４で連結されており、この連結部材４の部分で曲げることができて、風呂蓋２全体を渦巻状に巻き取って収納できるものである。
【００１２】
各中空筒体３内には、真空断熱材５が挿入されている。
この真空断熱材５は、グラスウールマット等のマット状繊維体を扁平化した芯材の外周を、例えば、無延伸ポリプロピレン樹脂（ＣＰＰ）フィルム，ポリビニールアルコール樹脂（ＰＶＡ）フィルム，ポリエチレンテレフタレート（ＰＥＴ）シートを三層構造にした外包シートで密閉して、その状態で、内部が０．１〜０．５Ｔｏｒｒ或いは１０−４Ｔｏｒｒの真空状態となるように真空引きして形成されたものであり、内部が真空状態であるため、高い断熱性を確保できるように構成されている。
【００１３】
なお、複雑な多種多様な真空断熱材５を造る必要はなく、真空断熱材５は中空筒体３の断面形状に対応させた一定の断面形状のもので、その長さ寸法のみ異なるものを、それぞれの中空筒体３の長さ寸法に対応させて用意しておけば良い。
即ち、各中空筒体３の断面形状は一定であるため、真空断熱材５も一定の断面形状に形成しておくことができ、各中空筒体３内に良好に挿入させることができるものであり、真空断熱材５の外周等に外側へ突出したヒレ部５ａ等が存在しても、真空断熱材５は中空筒体３内に完全に隠蔽されるため、真空断熱材５は見栄えが良好なものでなくても良い。
【００１４】
このように、各中空筒体３内に長さ寸法が対応する真空断熱材５を挿入し、その状態で中空筒体３の前端及び後端の開口に対し、外側よりキャップ６，６を嵌め込んで、このキャップ６，６で中空筒体３の前端及び後端を塞ぐことができるものである。
キャップ６は、中空筒体３内に差し込むことのできる差込部６ｂの外端に、開口を塞ぐ覆蓋部６ａが一体形成されたものであり、キャップ６を中空筒体３に嵌め込んで取り付けた状態では、中空筒体３とキャップ６が面一状に連続したすっきりとした外観形状を呈するものであり、全体として風呂蓋２は見栄え性に優れたものとなる。
【００１５】
このように、各中空筒体３内には、真空断熱材５が挿入されているため、真空断熱材５の高い断熱性能により、風呂蓋２は高い断熱性を確保できるものとなる。
また、中空筒体３により強度が確保されており、全体としての強度は大であり、風呂蓋２の上に子供が乗ったりした場合にも、変形，破損の心配がないものとなる。
【００１６】
次に、図３，図４，図５は、風呂蓋の第２実施例を示すものであり、この図３〜図５の風呂蓋は、外カバー１０と、この外カバー１０の各袋状の部屋１０ｂ，１０ｂ内にそれぞれ挿入される真空断熱材５及び補強材７で構成されている。
外カバー１０は、例えば２枚の塩化ビニルシートを重合させて、所定間隔で熱溶着部１０ａ，１０ａを形成させ、この熱溶着部１０ａで裏表のシートを連結して、熱溶着部１０ａ，１０ａ間に、三方が塞がれて一方側のみに開口Ｋが形成された袋状の部屋１０ｂ，１０ｂを所定間隔で形成させたものである。
なお、真空断熱材５は、第１実施例と同様に、芯材を密閉シートで密閉し、内部を真空状態としたものである。
また、補強材７は、例えば金属製の強度のある丸棒材等で構成することができる。
【００１７】
なお、外カバー１０の各袋状の部屋１０ｂのサイズを一定にしておくことで、複雑で多種多様な真空断熱材５を造る必要はなく、真空断熱材５の形状は一定のもので良く、外周等にヒレ部５ａ等が存在しても問題はなく、真空断熱材５は外観を気にすることなく、安価に製作することができるものである。
【００１８】
図５に縦断面で示すように、真空断熱材５と補強材７を各袋状の部屋１０ｂ，１０ｂ，１０ｂ内にそれぞれ挿入した後に、各袋状の部屋１０ｂの一方側の開口Ｋを熱溶着等で塞ぐことにより、風呂蓋を完成させることができ、外側からは外カバー１０のみが視認されて、すっきりとした外観形状となり、補強材７により全体の強度が確保され、また真空断熱材５により高い断熱性が確保されるものであり、全体を安価に製作することができるものとなる。
【００１９】
次に、図６及び図７で示すものは、第２実施例の変形例であり、図６及び図７では、外カバー１０の熱溶着部１０ａ内に、補強材７を差し込むことのできる補強材収納部１０ｃを一体形成したものである。この補強材収納部１０ｃは、熱溶着部１０ａを熱溶着して形成する際に、一部を熱溶着せずに残しておくことで容易に形成させることができるものである。
【００２０】
このように、各熱溶着部１０ａ内に形成された補強材収納部１０ｃ内に、それぞれ補強材７を挿入し、袋状の部屋１０ｂ内には真空断熱材５のみを挿入して、その後に開口Ｋ側を熱溶着等で塞ぐことで、風呂蓋を完成させることができ、複数の補強材７，７，７により全体の強度が確保され、また各袋状の部屋１０ｂ内に挿入され隠蔽される真空断熱材５により、高い断熱性を確保することができるものであり、全体がすっきりとした外観で、安価に風呂蓋を製造できるものとなる。
【図面の簡単な説明】
【００２１】
【図１】浴槽の上面に風呂蓋を覆設した平面構成図である。
【図２】図１の風呂蓋の分解斜視図である。
【図３】第２実施例の風呂蓋を構成する外カバーの斜視構成図である。
【図４】第２実施例の、外カバーと真空断熱材と補強材の分解図である。
【図５】外カバーの袋状の部屋内に、それぞれ真空断熱材と補強材を挿入した状態の縦断面構成図である。
【図６】第２実施例の変更例を示す外カバーの斜視図である。
【図７】図６の外カバーの補強材収納部内に補強材を挿入し、また袋状の部屋内に真空断熱材を挿入した状態の縦断面構成図である。
【符号の説明】
【００２２】
１  浴槽
２  風呂蓋
３  中空筒体
４  連結部材
５  真空断熱材
６  キャップ
７  補強材
１０  外カバー
１０ａ  熱溶着部
１０ｂ  袋状の部屋
１０ｃ  補強材収納部
Ｋ  開口
【図１】
2006239035.tif 000003
【図２】
2006239035.tif 000004
【図３】
2006239035.tif 000005
【図４】
2006239035.tif 000006
【図５】
2006239035.tif 000007
【図６】
2006239035.tif 000008
【図７】
2006239035.tif 000009